(57)【要約】【課題】コイル編みによる角座構造体を提供し、重厚で多彩な変化を有し、意匠性に優れた角座の作品展開をはかる。【解決手段】太番手の糸を用いて編成した構造体であって、中心糸のまわりに糸を複数回巻きつけたコイル編み材１を中心糸軸を互いに並立させて横方向所要長さに連続編成して並立したコイル編み材による帯状体ａを形成すると共に、該帯状体ａに連続して順次、同様編成による帯状体ａを複数段にわたり連設して、コイル編み材１による帯状体ａを複数段有する角形編成体Ｂを構成し、該角形編成体Ｂの外周部を細編み２により編着してなるコイル編みによる構造体である。【選択図】    図１
0003108291.tif 000002
【実用新案登録請求の範囲】
【請求項１】
太番手の糸を用いて編成した構造体であって、中心糸の周りに糸を複数回巻きつけたコイル編み材１を中心糸軸を互いに並立させて横方向所要長さに連続編成して並立したコイル編み材による帯状体を形成すると共に、該帯状体に連続して順次、同様編成による帯状体を複数段にわたり連設してコイル編み材による帯状体を構成し、該角形編成体の外周部を細編みにより編着してなることを特徴とするコイル編みによる角座構造体。
【考案の詳細な説明】
【技術分野】
【０００１】
本考案はコイル編手法により作成した角座構造体に関するものである。
【背景技術】
【０００２】
従来、円座クッション，角座クッション等は編織物からなる表裏両外装材の間に緩衝用詰物材を入れ、周縁を縫着することにより作成されることが一般的であった(例えば特許文献１参照)が、一方、手芸操作により編成して作成することも広く行われており、例えば六角形状の角座や、お花畑の円座，花モチーフの円座など、種々の円座，角座作品が展開されている。(例えば非特許文献１参照)
その作品の１例を例示すると、例えば花モチーフの円座では先ず、花モチーフを指定の色で所定数作り、次いで小花モチーフを作って花モチーフを中心・二色に編みつなぎ、次に小花モチーフを綴じ付け表側を編成する。
【０００３】
一方、輪の中に所要の長編み編目を編み入れ、増し、配色しながら裏側を編んで前記表側と合わせ、バック細編で編み、表側と綴じ合わせて円座に作成されている。
【０００４】
ところが、上記手芸による円座，角座等においては通常、前記のように表側を編み、種々のモチーフを編み入れると共に裏側の編成を行って表裏を綴じ合わせることが一般的であった。
【０００５】
そこで、本出願人は表裏を綴じ合わせず立体モチーフだけを使用して作品を展開することを見出し、これに適合した新規なコイル編による立体モチーフを先に考案し、種々の色彩の組み合わせにより多彩な変化に富み、意匠性に優れたコイル編手法の作品を提案した。
【０００６】
即ち、この作品は、太番手により一連に編成されたコイル編みによる立体モチーフであって、複数のくさり編目を輪に丸めて、該輪を中心として放射方向に、中心糸の周りに糸を複数回巻きつけたコイル編み材を互いに並列する如く連続編成すると共に、並列された各コイル編み材の先端側を周方向に一連の引き抜きによるくさり編目により連結し、かつ引きしめて前記放射状に並列された各コイル編み材を夫々、外方に膨出させた周方向に凹凸を有する球帯形状であり、この立体モチーフを所要個数、互いに連繋して形成した円座等である。
【特許文献１】実用新案登録第３０３１０１１号公報
【非特許文献１】２００３年９月１０日、ハマナカ株式会社発行「ハマナカジャン                      ボニーですぐ編める円座と角座」特に第１６〜１７頁、２４〜２                      ５頁参照
【考案の開示】
【考案が解決しようとする課題】
【０００７】
本考案は上述の如きコイル編手法による作品について、更に作品のより発展を図るべく、コイル編手法による新規な編成態様を見出し、同作品の応用範囲を拡げることを目的とするものである。
【課題を解決するための手段】
【０００８】
即ち、上記目的に適合する本考案角座構造体の特徴は、太番手の糸を用いて編成した構造体であって、中心糸のまわりに糸を複数回巻きつけたコイル編み材を中心糸軸を互いに並立させて横方向所要長さに連続編成して、並立したコイル編み材による帯状体を形成すると共に、該帯状体に連続して順次、同様編成による帯状体を複数段にわたり連設してコイル編み材による帯状体を複数段有する角形編成体を構成し、該角形編成体外周部を細編みにより編着してなるコイル編みによる構造体である。
【考案の効果】
【０００９】
本考案角座構造体は、コイル編みによる本体部分と、その外周の編着部からなり、変化に富み、かつ複数の帯状体に異色の糸を配することにより多彩かつ意匠外観に優れた角座を得ることができ、しかも太番手の糸を用いることにより、極めて嵩高性に富む重厚な角座を得ることができる効果を有している。
【考案を実施するための最良の形態】
【００１０】
以下、更に本考案角座構造体の具体的形態を添付図面に基づいて説明する。
【００１１】
図１は本考案に係るコイル編みによる角座構造体Ａであり、図２，図３は該角座構造体Ａの表面側，裏面側を示す一部拡大図である。
【００１２】
これら図に示す如く、本考案角座構造体Ａは、その本体部分がコイル編み材１を互いに並立して横方向に所要長さ連続編成した帯状体ａを複数段にわたり連設することにより所要の角座構造体Ａの大きさに対応する四角形状の角形編成体Ｂとして形成されており、その外周部２に細編み２が編み付けられて角座構造体Ａに作成されている。
【００１３】
ここで、本体部分を構成するコイル編み材１は、太番手の糸を用いて中心糸のまわりに糸を複数回、例えば５回巻き付けることによって構成されており、その作成及び上記本体部分の形成にあたっては、以下のような手法が用いられる。
【００１４】
即ち、先ず作成しようとする角座構造体Ａ(以下、角座と略記する)の一辺の長さに対応する長さのくさり目を作り、その一端側においてコイル編み材１の長さを合わせるべくくさり目より立ち上がりを３目編み、次いで糸を針に巻きつけ、所要数、例えば５回巻いたところで最初のくさり目に針を入れ、糸をかけて立ち上がりの３目と同じ長さだけ引き出す。
【００１５】
そして、さきに５回巻いた糸を上記引き出した糸に指で１目ずつ引き抜いてゆき、全て引き抜いたところで、針に糸をかけて引き、１つのコイル編み材１が完成する。
【００１６】
１つのコイル編み材１が完成すると、次に当初の角座の一辺に対応するくさり目の次の編目において同様に糸を針に巻きつけ、所要数(５回)巻いたところで上記の次の編目に糸をかけて立ち上がり３目と同じ長さだけ引き出し、引き出した糸に上記巻きつけた糸を指で１目ずつ引き抜いてゆき、５回引き抜いたところで針に糸をかけて引き抜き、次のコイル編み材が完成する。
【００１７】
このようにして前述の角座の一辺に対応するくさり目において、順次、同様な操作を繰り返して並立したコイル編み材による１つの帯状体ａの編成が終わる。
【００１８】
この横方向１列の帯状体ａの形成が終わると、該帯状体ａを一旦、裏返してコイル編み材１の各上端(又は下端)を細編みで繋いでゆく、
そして、次の段の帯状体の編成にあたっては、上記のように得られた帯状体の一端側において、その細編みを利用して引き続き立ち上がりの３目を編み、糸を針に巻きつけて巻糸を作り、前記帯状体と同様にして次段の帯状体を作成する。
【００１９】
こうして帯状体を複数段にわたり、順次、編成して、作成しようとする角座に適合する角形編成体Ｂが出来上がると、最終的にその外周を細編み２により編みつけると所望の角座Ａを得ることができる。
【００２０】
以上、本考案に係る角座作成について説明したが、各帯状体ａの長さは作成する角座の大きさに合わせて適宜、選定することができ、また段数についても同様である。
【００２１】
なお、角座Ａにおける各段の帯状体は、同色の太番手糸により連続した一連のものとして作成してもよいが、適宜、配色を変化させることによって各段の帯状体を夫々、異色で、個別に作成し一体的に連設して多彩な意匠外観に優れた角座を得ることができる。
【００２２】
また、使用する糸の太さは種類も適宜、使用可能であるが、太番手の糸を用いることが角座の嵩高性を良好にする面で好ましく、更に随時、模様等をあみ込むことも好適である。
【００２３】
特に外周部を装飾部とすれば、より角座の美麗さを増すことができる。
【図面の簡単な説明】
【００２４】
【図１】本考案に係る角座構造体の１例を示す平面図である。
【図２】上記角座構造体の表面側を一部拡大して示した平面図である。
【図３】上記角座構造体の裏面側を一部拡大して示した平面図である。
【符号の説明】
【００２５】
Ａ：角座構造体
Ｂ：角形編成体
ａ：帯状体
１：コイル編み材
２：細編み
【図１】
0003108291.tif 000003
【図２】
0003108291.tif 000004
【図３】
0003108291.tif 000005